(57)【特許請求の範囲】
【請求項１】
ハンドルの操作方向を上下方向として垂直に配置された配線用遮断器の側方に、プランジャの開口部を下向きにしたソレノイドを配置し、このプランジャとハンドルの操作腕との間をリンク機構により連結した配線用遮断器の自動投入装置であって、操作時以外はソレノイドを無通電状態とし、操作腕がハンドルのオフ位置側にあるようにしたことを特徴とする配線用遮断器の自動投入装置。
【請求項２】
操作腕にハンドルへの衝撃を弱める緩衝材を設けた請求項１記載の配線用遮断器の自動投入装置。
【請求項３】
操作腕がブラケットに枢支されたものであり、リンク機構がソレノイドの側面に沿ってスライドし、プランジャにより直接操作腕を上下方向に駆動する連結部材からなる請求項１記載の配線用遮断器の自動投入装置。
【請求項４】
操作腕がブラケットに枢支されたものであり、リンク機構が操作腕を上下方向に駆動する第１リンクと、一端がこの第１リンクに連結され、他端がプランジャに連結された垂直面内で揺動する第２リンクとからなる請求項１記載の配線用遮断器の自動投入装置。
【発明の詳細な説明】
【０００１】
【発明の属する技術分野】
本発明は、配線用遮断器の自動投入装置に関するものである。
【０００２】
【従来の技術】
従来の配線用遮断器の自動投入装置としては、図９に示されたように配線用遮断器１と直列にソレノイド２を配置し、ソレノイド２のプランジャ３と配線用遮断器１のハンドル４とをリンク５によって連結したものが知られている。しかし、ハンドル４をソレノイド２により直接操作するため、ソレノイド２に長いストロークが要求され、大型のソレノイド２が必要となるという問題がある。
【０００３】
またこのような従来のものは、図１０に示すようにソレノイド２を配線用遮断器１のハンドル４と同じ高さに設置するために段違い構造としなければならず、配線用遮断器１の取付け面６からの距離が大きくなってスペース効率が悪いという問題がある。また配線用遮断器１の配線上にリンク５等の機構部が来るので、絶縁性の上でも問題がある。
【０００４】
【発明が解決しようとする課題】
本発明は上記した従来の問題点を解決し、大型のソレノイドを必要とせず、設置スペースを小さくすることができ、動作不良を生じにくい配線用遮断器の自動投入装置を提供するためになされたものである。
【０００５】
【課題を解決するための手段】
上記の課題を解決するためになされた本発明は、ハンドルの操作方向を上下方向として垂直に配置された配線用遮断器の側方に、プランジャの開口部を下向きにしたソレノイドを配置し、このプランジャとハンドルの操作腕との間をリンク機構により連結した配線用遮断器の自動投入装置であって、操作時以外はソレノイドを無通電状態とし、操作腕がハンドルのオフ位置側にあるようにしたことを特徴とするものである。
【０００６】
本発明の配線用遮断器の自動投入装置は、ソレノイドを配線用遮断器の側方に設置し、リンク機構を介してハンドルの操作腕を駆動する構造であるため、ソレノイドのストロークは短くてよい。またソレノイドと配線用遮断器とを同一面に取付けることができるため、設置スペースを小さくすることができる。更にソレノイドのプランジャの開口部を下向きとしたため雨水やほこりが進入しにくく、動作不良を生じにくい。また、操作時以外は水平腕が配線用遮断器のハンドルから離れた位置にあるため、過電流によりハンドルがオフ位置に動くことが妨げられるおそれがない。
【０００７】
【発明の実施の形態】
以下に本発明の好ましい実施形態を示す。
図１〜図３は本発明の第１の実施形態を示す図であり、１０は壁面に固定される垂直な基台、１１はこの基台１０上に垂直に配置された配線用遮断器である。この配線用遮断器１１は、そのハンドル１２の操作方向を上下方向（上側がオン、下側がオフ）として配置されている。この配線用遮断器１１の側方には、本発明の自動投入装置のソレノイド１３がプランジャ１４の開口部を下向きとして設置されている。
【０００８】
ソレノイド１３の配線用遮断器１１側の側面には、Ｌ字状のブラケット１５が取り付けられており、その下部のピン１６により、操作腕１７が揺動自在に枢支されている。操作腕１７は上部に水平腕１８を備えており、配線用遮断器１１のオフ位置にあるハンドル１２をオン位置まで動かすことができるよう、ハンドル１２の下側に位置している。
【０００９】
またブラケット１５の側面には、この操作腕１７を上下方向に駆動する連結部材１９が、上下方向にスライドできるように設けられて、駆動用のリンク機構を構成している。この連結部材１９は図２中に示したように金属板を屈曲させたもので、一端がプランジャ１４の先端にピン２０により連結されており、他端がピン２１により操作腕１７の中間部に枢着されている。ただしピン２１と操作腕１７との間には、連結部材１９の直線運動を操作腕１７の揺動運動に変換できるに十分なクリアランスを形成しておくものとする。
【００１０】
なお操作腕１７の水平腕１８には、ハンドル１２との接触面に緩衝材を設け、ハンドル１２への衝撃を弱めることが好ましい。また図４、図５に示すように、操作電子回路基板２２とソレノイド１３を積設し、設置スペースを削減して小型化をはかることが好ましい。
【００１１】
このように構成された第１の実施形態の自動投入装置は、操作時以外はソレノイド１３を無通電状態とし、そのプランジャ１４がその自重により下方に垂下し、連結部材１９も下方に移動しているために操作腕１７の先端の水平腕１８も下方位置、すなわちハンドルのオフ位置側にある。この状態ではプランジャ１４の開口部が下向きであるために雨水やほこりが進入しにくく、動作不良を生じにくい利点がある。また、水平腕１８は配線用遮断器１１のハンドル１２から離れた位置にあるため、過電流によりハンドル１２がオフ位置に動くことが妨げられるおそれがない。
【００１２】
次に配線用遮断器１１を自動投入する際には、信号を送ってソレノイド１３のプランジャ１４を上方に移動させ、連結部材１９を介して操作腕１７を上方に揺動させる。これに連れて水平腕１８がオフ位置にあった配線用遮断器１１のハンドル１２をオン位置に移動させ、自動投入を行わせることができる。このときプランジャ１４のストロークは操作腕１７により拡大されるため、長ストロークのソレノイド１３は不要であり、またソレノイド１３を配線用遮断器１１の側方の同一基台１０上に取り付けることができるので、全体の小型化が可能である。
【００１３】
図６〜図８は本発明の第２の実施形態を示す図である。
この第２の実施では、操作腕１７がその中間位置でピン３０により枢支されており、その下端とソレノイド１３のプランジャ１４との間が、第１リンク３１と第２リンク３２とを含むリンク機構により連結されている。第１リンク３１はブラケット１５に沿って上下方向にスライドできるものであり、その上端が操作腕１７の下端とピン３３により連結されている。
【００１４】
また第２リンク３２は、基台１０上に立設されたコ字状ブラケット３４に中央部を軸ピン３７により枢支されて垂直面内で揺動するものであり、その先端がピン３５によって第１リンク３１の下端と連結され、他端がピン３６によってソレノイド１３のプランジャ１４の先端に連結されている。
【００１５】
この第２の実施の自動投入装置も、操作時以外はソレノイド１３を無通電状態とし、そのプランジャ１４がその自重により下方に垂下し、リンク機構を介して操作腕１７の先端を下方位置、すなわちハンドルのオフ位置側に動かした状態にある。この状態ではプランジャ１４の開口部が下向きであるために雨水やほこりが進入しにくいことは、第１の実施形態と同様である。
【００１６】
また配線用遮断器１１を自動投入する際には、ソレノイド１３のプランジャ１４を上方に移動させれば、第２リンク３２が軸ピン３７を中心として揺動して図６の位置を取り、これに連れて第１リンク３１が下方に動かされるので、操作腕１７の先端は上方に揺動させる。これに連れて水平腕１８がオフ位置にあった配線用遮断器１１のハンドル１２をオン位置に移動させ、自動投入を行わせることができる。このときプランジャ１４のストロークはリンク機構により拡大されるため、長ストロークのソレノイド１３は不要であり、またソレノイド１３を配線用遮断器１１の側方の同一基台１０上に取り付けることができるので、全体の小型化が可能である点も第１の実施形態と同様である。
【００１７】
【発明の効果】
以上に説明したように、本発明の配線用遮断器の自動投入装置は、リンク機構によりソレノイドのストロークを拡大できるので大型のソレノイドを必要としない。またソレノイドを配線用遮断器の側方に設置したので、設置スペースを小さくすることができる。しかもプランジャの開口部が下向きであるために雨水やほこりが進入しにくく動作不良を生じにくいうえ、操作時以外はソレノイドを無通電状態とし、操作腕がハンドルのオフ位置にあるようにしたので、過電流によりハンドルがオフ位置に動くことが妨げられるおそれがない等の多くの利点がある。
【図面の簡単な説明】
【図１】第１の実施形態を示す正面図である。
【図２】図１の底面図である。
【図３】図１の側面図である。
【図４】操作電子回路基板の積設状態を示す正面図である。
【図５】図４の側面図である。
【図６】第２の実施形態を示す正面図である。
【図７】図６の底面図である。
【図８】図６の側面図である。
【図９】従来例を示す平面図である。
【図１０】従来例を示す正面図である。
【符号の説明】
１  従来技術における配線用遮断器
２  ソレノイド
３  プランジャ
４  配線用遮断器のハンドル
５  リンク
６  取付け面
１０  基台
１１  配線用遮断器
１２  配線用遮断器のハンドル
１３  ソレノイド
１４  プランジャ
１５  ブラケット
１６  ピン
１７  操作腕
１８  水平腕
１９  連結部材
２０  ピン
２１  ピン
２２  操作電子回路基板
３０  ピン
３１  第１リンク
３２  第２リンク
３３  ピン
３４  コ字状ブラケット
３５  ピン
３６  ピン
３７  軸ピン
【図１】
0003909974.tif 000002
【図２】
0003909974.tif 000003
【図３】
0003909974.tif 000004
【図４】
0003909974.tif 000005
【図５】
0003909974.tif 000006
【図６】
0003909974.tif 000007
【図７】
0003909974.tif 000008
【図８】
0003909974.tif 000009
【図９】
0003909974.tif 000010
【図１０】
0003909974.tif 000011